(57)【特許請求の範囲】
【請求項１】
蓋部材により開口部を閉塞されてなる外装ケース内に収納され外部の機器との間で無線信号を送受信可能なアンテナの電波送受信感度を調整する感度調整装置であって、
前記蓋部材は、
前記外装ケースの開口部に取り付けられた蓋本体と、
前記アンテナを覆う位置に配置されるとともに前記蓋本体に対して回転可能に取り付けられた回転部材と、
を備え、
この回転部材は、回転の周方向に沿って電波の透過を妨げる遮蔽部と電波を透過させる開放部とを備え、前記遮蔽部により遮蔽される前記アンテナの被遮蔽範囲を調整することを特徴とする感度調整装置。
【請求項２】
前記遮蔽部は、前記アンテナを被覆する大きさで形成されており、
前記電波送受信感度は、前記回転部材の回転によって前記アンテナが前記遮蔽部に覆われた場合に、低くなることを特徴とする請求項１に記載の感度調整装置。
【請求項３】
前記遮蔽部は、前記回転部材の前記アンテナと対向する面に磁性体を設けることにより構成されていることを特徴とする請求項１又は請求項２に記載の感度調整装置。
【請求項４】
前記回転部材は、その回転の周方向の一部に他の部分よりも厚く形成された肉厚部を有し、
この肉厚部により前記遮蔽部が構成されていることを特徴とする請求項１又は請求項２に記載の感度調整装置。
【請求項５】
請求項１から請求項４のいずれか一項に記載の感度調整装置と、
前記感度調整装置により電波送受信感度を調整されるアンテナと、
前記アンテナを保持するモジュールと、
前記アンテナ及び前記モジュールを収納する外装ケースと、
を備えていることを特徴とする腕時計。
【請求項６】
外装ケースの開口部を閉塞する蓋部材と、
前記外装ケースの開口部に取り付けられた蓋本体と、
前記蓋本体に対して回転可能に取り付けられた回転部材と、
を備え、
この回転部材は、回転の周方向に沿って電波の透過を妨げる遮蔽部と電波を透過させる開放部とを備えることを特徴とする感度調整装置。
【発明の詳細な説明】
【技術分野】
【０００１】
本発明は、感度調整装置及びこれを適用した腕時計に関するものである。
【背景技術】
【０００２】
近年、無線通信機能を備える腕時計等の電子機器間において、無線方式によってデータのやり取りをしたり、情報の同期を取ったりする等、各種データの送受信（通信）を行う手法が浸透しつつある。
こうした無線通信によって送受信されるデータには個人情報も多く含まれる可能性がある。このため、個人のプライバシー等を保護するためにも、データの送受信は特定の電子機器から特定の電子機器に対して正確に行われる必要がある。
【０００３】
しかし、身の回りに複数の電子機器がある場合、他の電子機器との干渉が起こって目的の電子機器との間で正確に無線通信を行うことができないおそれがある。特にBluetooth（登録商標）など波長の長い電波を取り扱う際には、障害物等に強く電波が遮断されにくいという性質があるために、他の電子機器との干渉を起こしやすい。
【０００４】
従来、無線通信システムにおいて、他の電子機器との干渉を避けて、通信を行いたい電子機器同士を適切にペアリング（すなわち、初期の認識作業）する方法として、ペアリングしたい電子機器（電子デバイス）を互いに近傍となる位置に配置するとともに、一方の電子機器から、無線通信システムにおける標準の信号出力電力レベルよりも小さい電力レベルに制限された問い合わせ信号を送信し、他方の電子機器がこの問い合わせ信号を検出すると、これに対する応答信号を送信する。そして、当該電子機器が問い合わせ信号に応答する最初の電子機器であることに基づいて、双方の電子機器間で、ポイントツーポイント接続を開始するという手法が提案されている（例えば、特許文献１参照）。
【０００５】
このような手法でペアリングを行った場合には、他の電子機器との干渉を避けて目的とする電子機器間でのみ通信を成立させ、適切にペアリングを行うことができる。
【先行技術文献】
【特許文献】
【０００６】
【特許文献１】特表２００７−５３６８５２号公報
【発明の概要】
【発明が解決しようとする課題】
【０００７】
しかしながら、電子機器間でデータの送受信を行う目的は様々であり、ペアリングを行う場合のように電子機器同士を接触させる程度に近接させて通信を行う場合の他、例えばユーザ自身が身に着けている携帯端末装置と腕時計等の電子機器との間で各種データの送受信を行う場合のように多少離れた位置にある電子機器間でデータの送受信を行う場合や、ユーザが手元から離してしまった電子機器の所在を捜索する場合のようにある程度離れた場所にあると想定される電子機器との間で送受信を行う必要がある場合もある。
【０００８】
このため、電子機器間でデータの送受信する際の電波の送受信感度は、その目的・用途・状況等に応じて適宜切り替えられることが求められる。
【０００９】
この点、携帯電話やパーソナルコンピュータ（personal computer）等では、受信回路等、通信関連モジュールにおいて送受信感度の切り替えを行っている。
しかし、通信関連モジュールにおいて送受信感度の切り替えを行う場合、通信関連モジュールの制御構成が複雑化する等の問題がある。
【００１０】
本発明は以上のような事情に鑑みてなされたものであり、簡易な機構により、用途に応じた感度となるようにアンテナの送受信感度を調整することのできる感度調整装置及びこれを適用した腕時計を提供することを目的とするものである。
【課題を解決するための手段】
【００１１】
前記課題を解決するために、本発明に係る感度調整装置は、
蓋部材により開口部を閉塞されてなる外装ケース内に収納され外部の機器との間で無線信号を送受信可能なアンテナの電波送受信感度を調整する感度調整装置であって、
前記蓋部材は、
前記外装ケースの開口部に取り付けられた蓋本体と、
前記アンテナを覆う位置に配置されるとともに前記蓋本体に対して回転可能に取り付けられた回転部材と、
を備え、
この回転部材は、回転の周方向に沿って電波の透過を妨げる遮蔽部と電波を透過させる開放部とを備え、前記遮蔽部により遮蔽される前記アンテナの被遮蔽範囲を調整することを特徴としている。
【００１２】
また、本発明に係る腕時計は、
請求項１から請求項４のいずれか一項に記載の感度調整装置と、
前記感度調整装置により電波送受信感度を調整されるアンテナと、
前記アンテナを保持するモジュールと、
前記アンテナ及び前記モジュールを収納する外装ケースと、
を備えていることを特徴としている。
【発明の効果】
【００１３】
本発明によれば、アンテナの電波送受信感度を通信モードに適した感度に調整する手法として蓋本体に取り付けられた回転部材を回転させて遮蔽部により覆われるアンテナの被遮蔽範囲を調整するという機械的な構成をとっているため、受信回路等、通信関連モジュールにおいて送受信感度の切り替えを行う場合と比較して、アンテナの電波送受信感度の調整にかかる電力消費量を抑えることができるという効果を奏する。
【図面の簡単な説明】
【００１４】
【図１】本実施形態における感度調整装置を適用した腕時計の正面図である。
【図２】図１に示す腕時計を裏面側から見た平面図である。
【図３】図１の腕時計におけるIII−III線断面図である。
【図４】図３における一点鎖線部分を拡大した要部断面図である。
【図５】図１の腕時計におけるV−V線断面斜視図である。
【図６】図５における一点鎖線部分を拡大した要部断面斜視図である。
【図７】本実施形態における回転部材を示す斜視図である。
【図８】アンテナの送受信感度が低い状態となる場合の回転部材の配置を示した腕時計の平面図である。
【図９】アンテナの送受信感度が高い状態となる場合の回転部材の配置を示した腕時計の斜視図である。
【図１０】回転部材の一変形例を示す斜視図である。
【図１１】アンテナの送受信感度が低い状態となる場合の図１０に示す回転部材の配置を示した腕時計の斜視図である。
【図１２】アンテナの送受信感度が高い状態となる場合の図１０に示す回転部材の配置を示した腕時計の平面図である。
【発明を実施するための形態】
【００１５】
以下、図１から図９を参照しつつ、本発明に係る感度調整装置及びこれを備える腕時計の好適な実施形態について説明する。なお、以下では、本発明に係る感度調整装置を電波通信機器としての機能を備える腕時計に適用した場合について説明するが、感度調整装置を適用可能な実施形態はこれに限定されるものではない。
【００１６】
図１は、本実施形態に係る腕時計の一部を切り欠いた正面図であり、図２は、図１の腕時計を裏面側から見た図である。また、図３は、図１におけるIII−III線に沿う断面図であり、図４は、図３における一点鎖線部分の拡大図である。また、図５は、図１におけるV−V線に沿う断面図であり、図６は、図５における一点鎖線部分の拡大図である。
本実施形態に係る腕時計１００は、電気的な駆動により図示しない指針（秒針、分針、時針）を回転させて時刻を表示するものである。なお、図１から図６では、指針等について図示を省略している。
【００１７】
図１、図３等に示すように、腕時計１００は、中空の短柱形状に形成された外装ケース１を備えている。本実施形態において外装ケース１は、例えばステンレス、チタニウム等の金属材料によって形成されている。なお、外装ケース１は、金属材料で形成されているものに限定されず、例えば樹脂等により形成されているものであってもよい。
【００１８】
この外装ケース１の上下両端部（図１において上下端部）、つまり時計の１２時方向側端部及び６時方向側端部には、時計バンド（図示せず）が取り付けられるバンド取付部１１が形成されている。
また、外装ケース１の側面には、外装ケース１の内部に貫通する貫通孔１２（図３参照）が形成されている。なお、本実施形態では、貫通孔１２は、腕時計１００における３時方向の側面に形成されている場合を例としているが、貫通孔１２が設けられる位置はこれに限定されない。例えば９時方向の位置や４時方向の位置に貫通孔１２が設けられていてもよい。
【００１９】
図３に示すように、貫通孔１２には、中空の筒状部材１３が外装ケース１の外部から内部に挿通されている。そして、外装ケース１の側部であって貫通孔１２の設けられている側には、筒状部材１３を介して貫通孔１２に挿入され、外装ケース１の外部から内部に挿通する軸部材２１と、この軸部材２１の一端側に形成され、筒状部材１３の内径よりも大きな径を有する竜頭トップ２２とを備える竜頭２が設けられている。
軸部材２１の挿入側の端部には、図示しない歯車が設けられており、この歯車は、例えば後述するモジュール３内に設けられている図示しない分針等の各種指針を回動させる輪列の一部に接続されている。そして、竜頭２を回転させるとその回転力が指針を回動させる輪列に伝達され、指針の位置調整、時刻合わせ等が可能となるように構成されている。
【００２０】
外装ケース１の内部には、ほぼ円柱形状に形成されたモジュール３が配置されている。なお、モジュール３の形状は円柱形状に限定されない。モジュール３は、腕時計１００の指針（図示せず）を運針させる時計ムーブメント（例えば駆動用のモータや輪列機構等。図示せず）、各種電子部品を実装した回路基板（図示せず）等が例えば樹脂等によって形成されたハウジング（図示せず）に組み込まれたものである。
モジュール３は、腕時計１００の裏面側（図３において下側）から中枠部材１４によって支持されている。
【００２１】
図５及び図６に示すように、本実施形態では、モジュール３の下側（腕時計１００における裏面側）であって、モジュール３の周縁部における腕時計のほぼ６時方向にあたる位置（図１における下側位置）には凹部３１が形成されており、この凹部３１内にはチップ状又はループ状の小型のアンテナ４が配置されている。
アンテナ４は、例えば接着固定等によりモジュール３上に保持されている。なお、モジュール３に凹部３１が形成されていることは必須ではなく、平坦な面に上にアンテナ４が配置されていてもよい。また、アンテナ４は、モジュール３の表面に貼着されていてもよいし、モジュール３内に埋設されていてもよい。また、アンテナ４の配置される位置はここに例示したものに限定されず、他の位置であってもよい。
【００２２】
アンテナ４は、外部の機器との間で無線信号を送受信可能なものであり、例えばBluetooth（登録商標）等の規格により通信を行う。なお、アンテナ４の通信規格、通信可能な周波数帯は、Bluetooth（登録商標）に限定されず、腕時計１００によって行われる各種通信に適したもの（すなわち、周波数等が適合するもの）が適宜適用される。また、アンテナ４は小型のものであればよく、種類、形状は特に限定されない。また、後述するように、本実施形態では、アンテナ４として、最大で５ｍ程度の範囲内に存する機器との間で信号の送受信を行うことのできる電波送受信感度のものを適用しているが、アンテナ４の電波送受信感度はこれに限定されず、感度を最大としたときにさらに離れた機器との間で信号の送受信を行うことのできるものを用いてもよい。
このアンテナ４は、図示しないコネクタ等を介して回路基板と電気的に接続されており、このコネクタを介して、図示しない電波送受信制御回路と接続されている。
なお、本実施形態では、アンテナ４及び図示しない送受信制御回路自体は、常に最大の電波送受信感度（例えば本実施形態ではアンテナ４から５ｍ程度の範囲内で電波を送受信可能な電波送受信感度）が維持されており、後述するように、感度調整装置１０（図３参照）によるアンテナ４の被遮蔽範囲を変えることで電波送受信感度を機械的構成により調整するようになっている。
【００２３】
外装ケース１内であって、モジュール３の上側（図３に置いて上側、すなわち腕時計１００の視認側）には文字板５が配置されている。なお、モジュール３の上側にはアナログ方式の文字板５の他に数字や文字等をデジタル方式で表示する液晶表示部等が設けられていてもよい。
また、この文字板５の上、すなわちモジュール３の上方には、環状（リング状）に形成された見切り部材６が、その環状中心を中心として回転可能に設けられている。なお、見切り部材６は回転可能なものに限定されない。
【００２４】
外装ケース１は、表面側（図３及び図４において上側）の開口部と、裏面側（図３及び図４において下側）の開口部とを有している。そして、外装ケース１の表面側の開口部には、透明なガラス等の材料で形成された風防部材７が図示しない防水リング等を介して表面側の開口部を閉塞するように取り付けられている。
一方、外装ケース１の裏面側の開口部には、蓋部材としての裏蓋部材８が防水リング１５を介して裏面側の開口部を閉塞するように取り付けられている。
【００２５】
ここで、図２から図８を参照しつつ、本実施形態の腕時計に設けられる裏蓋部材８について、詳細に説明する。
本実施形態において、裏蓋部材８は、裏蓋本体８１、回転部材８２、係止用リング部材８３を備えている。
本実施形態では、これら裏蓋部材８を構成する部材のうち、裏蓋本体８１及び係止用リング部材８３は、例えばステンレス、チタニウム等の金属材料によって形成されており、回転部材８２は、例えば工業用プラスチックやエンジニアプラスチック等の樹脂（例えばポリアセタール（ＰＯＭ）、ポリアミド（ＰＡ）、ポリカーボネート（ＰＣ）等）で形成されている。なお、裏蓋本体８１、回転部材８２及び係止用リング部材８３を形成する材料はこれに限定されず、例えば裏蓋本体８１や係止用リング部材８３が例えば樹脂等の金属以外の材料により形成されていてもよいし、回転部材８２がここに挙げた以外の材料により形成されていてもよい。
【００２６】
図２、図３、図７等に示すように、裏蓋本体８１は、ほぼ中央部が開口した環状（リング状）の部材であり、外装ケース１の開口部に取り付けられる蓋本体である。裏蓋本体８１には、その外周に沿って４箇所に係止部８１１が設けられており、この係止部８１１にはねじ孔８１１ａが形成されている。裏蓋部材８は、裏蓋本体８１の係止部８１１をねじ８４によって外装ケース１に固定することにより外装ケース１に取り付けられるようになっている。なお、裏蓋部材８を外装ケース１に取り付ける構成はここに例示したものに限定されない。
また、裏蓋本体８１の内周面には、後述する係止用リング部材８３のリング側ねじ溝８３２と螺合する本体側ねじ溝８１２が形成されている。
また、本実施形態では、裏蓋本体８１の裏側の面（すなわち裏蓋部材８を外装ケース１に取り付けた際に外側となる面）であって、アンテナ４の設けられている位置に対応する位置（すなわち腕時計１００の６時側）には、アンテナ４の位置を示すアンテナ指標８１３が付されている。なお、アンテナ指標８１３は、例えば、裏蓋本体８１上に印刷、貼着、蒸着、彫刻等の手段により形成される。
【００２７】
裏蓋本体８１には、開口部８１４を閉塞するように防水リング８５を介してほぼ円盤状の回転部材８２が回転可能に配置されている。
回転部材８２は、裏蓋本体８１の開口部８１４の内径とほぼ同じ外径を有するように形成されており、裏蓋本体８１の表面側（図３において上側）から裏蓋本体８１の開口部８１４に嵌め込むことにより裏蓋本体８１の開口部８１４をほぼ隙間なく閉塞する。
また、回転部材８２の表面側（すなわち裏蓋部材８を外装ケース１に取り付けた際に内側となる側）の外周には、裏蓋本体８１の開口部８１４の内径よりも大きい外径を有する鍔部８２２が設けられており、回転部材８２を裏蓋本体８１の開口部８１４に嵌め込んだ際に、この鍔部８２２が裏蓋本体８１の内側に係止されるようになっている。
回転部材８２は、前述のように例えば樹脂等、電波を透過可能な材料により形成されており、その一部がモジュール３の上に保持されているアンテナ４の上を覆うように配置されている。なお、回転部材８２を形成する材料は樹脂に限定されない。
【００２８】
図７は、回転部材８２を表面側（すなわち裏蓋部材８を外装ケース１に取り付けた際に内側となる側）から見た平面図である。
図７に示すように、回転部材８２の表側の面には、回転部材８２の回転の周方向に沿って磁性シート８２５が貼付（配置）されている。磁性シート８２５は、例えばフェライト等の磁性材料や磁性粉を含有する材料をシート状に加工した磁性体である。
本実施形態において、磁性シート８２５は、リング状に形成されたシートの一部が切り欠かれたほぼＣ字型となっている。
磁性シート８２５は、アンテナ４に入射しようとする電波を磁性材料の磁気損失により吸収して電波の透過を妨げるものであり、回転部材８２のうち、磁性シート８２５が貼付（配置）されている部分は電波の透過を妨げる遮蔽部となり、磁性シート８２５が貼付（配置）されていない部分（すなわち、磁性シート８２５が切り欠かれている部分）は電波を透過させる開放部８２６となっている。
【００２９】
また、図２に示すように、回転部材８２の裏側の面（すなわち裏蓋部材８を外装ケース１に取り付けた際に外側となる面）であって、開放部８２６に対応する位置には、当該部分が電波を透過させる開放部８２６であることを示す感度指標８２７が付されている。感度指標８２７は、例えば、回転部材８２上に印刷、貼着、蒸着、彫刻等の手段により形成される。なお、感度指標８２７が付される位置は開放部８２６に対応する位置に限定されず、例えば、開放部８２６と点対称となる位置（円盤状の回転部材８２の中心点を対称点としたときの点対称位置）に対応する位置等であってもよい。
このように感度指標８２７を設けることにより、ユーザは感度指標８２７の位置を見ることによって、腕時計１００の視認側から目視にて容易に遮蔽部（すなわち磁性シート８２５が貼付されている部分）及び開放部８２６の位置を確認することができる。
また、本実施形態では、上述のように、裏蓋本体８１の裏側の面には、アンテナ４の位置を示すアンテナ指標８１３が付されており、感度指標８２７をこのアンテナ指標８１３に合わせることにより簡易に開放部８２６をアンテナ４の位置に合わせることができる。
【００３０】
また、図２及び図５に示すように、回転部材８２の裏側の面（すなわち裏蓋部材８を外装ケース１に取り付けた際に外側となる面）のほぼ中央部には、細長く形成された溝状の凹部８２８が設けられている。凹部８２８は長手方向の中央部が最も深くなった断面ほぼ円弧状に形成されている。なお、凹部８２８の大きさ、深さ、形状等は人の爪先や硬貨等を差し込むことができる程度であればよく、特に限定されない。
回転部材８２は、この凹部８２８に爪先や硬貨等を差し込んで図２におけるいずれかの矢印方向に回すことにより、回転部材８２を時計回り又は反時計回りに任意の位置まで回転させることができるようになっている。そして、回転部材８２を回転させることにより遮蔽部（すなわち磁性シート８２５が貼付されている部分）及び開放部８２６の位置を変更し、遮蔽部により遮蔽されるアンテナ４の被遮蔽範囲を調整することにより、アンテナ４の電波送受信感度を調整可能に構成されている。
【００３１】
係止用リング部材８３は、外周面にリング側ねじ溝８３２が形成された環状（リング状）の部材である。
係止用リング部材８３の一端側には、係止用リング部材８３の環状中心に向かってほぼ水平に張り出した張出部８３３が形成されている。なお、張出部８３３は、係止用リング部材８３の全周に亘って設けられていてもよいし、係止用リング部材８３の内周に沿って数箇所に部分的に設けられていてもよい。
係止用リング部材８３は、裏蓋本体８１に回転部材８２を嵌め込んだ後に回転部材８２の外周面と裏蓋本体８１の内周面との間に装着することにより、回転部材８２が裏蓋本体８１から抜け落ちないように係止するものである。
具体的には、係止用リング部材８３のリング側ねじ溝８３２と裏蓋本体８１の本体側ねじ溝８１２とを螺合させることにより、係止用リング部材８３の張出部８３３が回転部材８２の鍔部８２２を上側（図３及び図４において上側）から係止するようになっている。これにより、回転部材８２の鍔部８２２が防水リング８５に押し付けられて裏蓋部材８の気密性が確保された状態となるとともに、回転部材８２が裏蓋本体８１に対して回転可能に取り付けられる。
【００３２】
前述のように、回転部材８２は、磁性シート８２５が貼付されている部分である遮蔽部と、磁性シート８２５が貼付されていない部分である開放部８２６とを備えており、ユーザの操作により回転部材８２が外装ケース１の周方向に沿って回転すると、これにより遮蔽部及び開放部８２６の位置が変更され、遮蔽部により覆われるアンテナ４の被遮蔽範囲を調整することができるように構成されている。
アンテナ４の被遮蔽範囲の調整について、図８及び図９を参照して説明する。図８及び図９は、モジュール３に固定されたアンテナ４及び回転部材８２の配置を腕時計１００の表面側（図３における上側）から見た図であり、モジュール３及びアンテナ４を二点鎖線で表している。
【００３３】
ユーザの操作により、図８に示すように、遮蔽部（すなわち磁性シート８２５が貼付されている部分）がアンテナ４の配置されている位置（すなわち、腕時計１００における６時方向の位置）の上方に来るように回転部材８２を回転させると、アンテナ４の上方が磁性シート８２５によって覆われるため（すなわち、アンテナ４の被遮蔽範囲が広くなるため）、アンテナ４に入射しようとする電波が磁性シート８２５によって吸収され、アンテナ４の電波送受信感度は低くなる。
また、ユーザの操作により、図９に示すように、開放部８２６（すなわち磁性シート８２５が貼付されていない部分）がアンテナ４の配置されている位置（すなわち、腕時計１００における６時方向の位置）の上方に来るように回転部材８２を回転させると、アンテナ４の上方が磁性シート８２５によって覆われないため（すなわち、アンテナ４の被遮蔽範囲がなくなるため）、アンテナ４に入射しようとする電波がアンテナ４に入りやすくなり、アンテナ４の電波送受信感度は高くなる。
【００３４】
なお、本実施形態では、外装ケース１の開口部を閉塞する裏蓋部材８の裏蓋本体８１と、この裏蓋本体８１に対して回転可能に取り付けられた回転部材８２とにより、アンテナ４の電波送受信感度を調整する感度調整装置１０が構成されている。
【００３５】
この他、腕時計１００は、例えば、各種モード切り替え等を行うための入力操作部、ＣＰＵ（Central Processing Unit）、ＲＯＭ（Read Only Memory）、ＲＡＭ（Random Access Memory）、等から構成される制御部、電波の送受信を制御する送受信制御回路部、時刻補正等を行う計時回路部、発振回路部、指針を駆動させる指針駆動回路部等を備えている。これらは、一般的な腕時計に設けられているものと同様のものであるため、図示及び説明を省略する。
【００３６】
次に、本実施形態における感度調整装置１０及び電波通信機器である腕時計１００の作用について説明する。
【００３７】
本実施形態において、腕時計１００は、感度調整装置１０によってアンテナ４の被遮蔽範囲を調整することにより、アンテナ４の電波送受信感度を調整できるようになっている。
すなわち、腕時計１００は、異なる電波送受信感度の下で実現される複数の通信モード（本実施形態では後述する「ペアリングモード」「データ同期モード」「端末捜索モード／忘れ物防止モード」）を実現可能となっており、感度調整装置１０は、これら各通信モードに適した電波送受信感度となるようにアンテナ４の被遮蔽範囲を調整する。
なお、通信モードの種類はこれに限定されない。「データ同期モード」「端末捜索モード／忘れ物防止モード」のうちいずれか１つのみを有するものであってもよいし、これら３つの通信モード以外の通信モードを実現可能となっていてもよい。
【００３８】
このうち、ペアリングモードは、例えばユーザが腕時計１００と新たな端末装置（例えば友人の端末装置等）との間で新たにペアリングを成立させ（すなわち、端末装置間において相互に関連付けを行う初期の登録作業を行い）、データの送受信等ができる状態にするための通信モードである。例えば腕時計１００と新たな端末装置である友人の携帯電話との間でペアリングを行う場合には、腕時計１００からペアリングしたい端末装置に対して問合せ信号を送信し、送信先の端末装置からこの問合せ信号に対する応答信号が腕時計１００に送信され、腕時計１００のアンテナ４がこの応答信号を受信して制御部に送ると、腕時計１００と当該端末装置との間でペアリングが成立する。
【００３９】
ペアリングを行う際には、周囲に存する他の端末装置との間で予期せぬペアリングが成立することのないように、腕時計１００と端末装置とが接触又はそれに近い距離まで接近した場合にのみ電波の送受信が可能な程度までアンテナ４の電波送受信感度が低くなるように調整することが好ましい。
このため、本実施形態では、入力操作部等からペアリングモードを選択する指示が入力されペアリングモードで通信を行う場合には、回転部材８２の遮蔽部である磁性シート８２５が貼付されている部分がアンテナ４の上方に位置するように回転部材８２を回転させ、アンテナ４の電波送受信感度が低くなるように調整する。
具体的には、ユーザが回転部材８２の凹部８２８に爪部や硬貨等を差し仕込んで回転部材８２を回転操作することにより、開放部８２６に対応して設けられている感度指標８２７が腕時計１００の６時位置以外に配置される位置まで回転部材８２を回転させ、遮蔽部（磁性シート８２５が貼付されている部分）がアンテナ４の上方を覆う位置にくるように調整する（図８参照）。
この状態で、ユーザがペアリングの対象となる端末装置を腕時計１００に接触又は１０ｃｍ程度の距離まで近接させると、腕時計１００のアンテナ４からペアリングのための問合せ信号（例えば腕時計１００の個体識別番号等を含む信号）が送信され、この問合せ信号を受信可能な距離にある端末装置のみが当該信号を受信する。問合せ信号を受信した端末装置は応答信号（例えば当該端末装置の個体識別番号等を含む信号）を腕時計１００に返信し、腕時計１００のアンテナ４がこの応答信号を受信すると、当該応答信号が制御部に送られ、制御部は当該端末装置を以後腕時計１００との間でデータの送受信が可能な端末装置として登録する。これによりペアリング（端末装置間の初期登録作業）が完了する。
【００４０】
なお、ペアリングが成立したか否かは、文字板５上での指針や液晶表示部等におけるその旨の表示、図示しないライトの点滅、アラーム音等によりユーザに報知されるようにすることが好ましい。
また、アンテナ４の電波送受信感度の低い状態（すなわち、磁性シート８２５がアンテナ４の上方を覆っている状態）では目的の端末装置との間で適切にペアリングを成立させることができなかった場合（すなわち、ペアリングが成立していない旨の表示等がされた場合）には、ユーザが回転部材８２の凹部８２８に爪部や硬貨等を差し仕込んで回転部材８２を回転操作することにより、感度指標８２７が腕時計１００の６時位置に配置される位置まで回転部材８２を回転させ、開放部８２６（磁性シート８２５が貼付されていない部分）がアンテナ４の上方を覆う位置にくるように調整した上で、再度ペアリングを試みるようにしてもよい。
【００４１】
これに対して、データ同期モードは、例えば既に腕時計１００との間でペアリングが成立している端末装置であって、ユーザが身につけている端末装置等（例えば、ユーザの所持している図示しない携帯電話）、腕時計１００の比較的近距離（例えばアンテナ４からの距離が１〜２ｍ程度の範囲内）に位置する端末装置との間でデータの同期を図ることを想定した通信モードである。
また、端末捜索モードは、例えばユーザが腕時計１００との間でペアリング済みである自己又は友人の端末装置等の場所を捜索する場合を想定した通信モードであり、忘れ物防止モードは、例えばユーザが腕時計１００との間でペアリング済みである自分の端末装置から所定の距離（例えば５ｍ程度）以上離れたときに、ブザー等により警告を発することを想定した通信モードである。
【００４２】
これらはいずれも、既に腕時計１００との間でペアリングが成立している端末装置との間で行われる通信であるため、予期しない端末装置との間で通信が成立するおそれはない。
このため、本実施形態では、入力操作部等から「データ同期モード」又は「端末捜索モード／忘れ物防止モード」を選択する指示が入力されこれらの通信モードで通信を行う場合には、回転部材８２の開放部８２６である磁性シート８２５が貼付されていない部分がアンテナ４の上方に位置するように回転部材８２を回転させ、アンテナ４の電波送受信感度が高くなるように調整する。
具体的には、ユーザが回転部材８２の凹部８２８に爪部や硬貨等を差し仕込んで回転部材８２を回転操作することにより、開放部８２６に対応して設けられている感度指標８２７が腕時計１００の６時位置に配置される位置まで回転部材８２を回転させ、開放部８２６（磁性シート８２５が貼付されていない部分）がアンテナ４の上方位置にくるように調整する（図９参照）。
これにより、腕時計１００は、アンテナ４が多少離れた距離にある端末装置との間で電波を送受信することのできる状態となり、例えばユーザが身に付けている携帯電話等との間でデータの送受信を行うことにより、相互のデータを同期させることができる。また、例えば端末捜索モードであれば、腕時計１００から５ｍ程度の範囲内に存するペアリング済みの端末装置に対して、腕時計１００のアンテナ４から応答を要求する信号が送信され、端末装置がこの信号を受信して応答信号を腕時計１００に送信すると、その旨がブザー等の音やライトの点滅等によりユーザに報知される。また、例えば忘れ物防止モードであれば、腕時計１００のアンテナ４からペアリング済みの端末装置に対して応答を要求する信号が送信され、端末装置はこの信号を受信して応答信号を腕時計１００に送信する。そして、端末装置からの応答信号が受信できなくなると、腕時計１００の制御部は端末装置が所定の距離（本実施形態ではアンテナ４の電波送受信可能な範囲である５ｍ）以上ユーザから離間したと判断して、その旨をブザー等の音やライトの点滅等によりユーザに報知する。
【００４３】
以上のように、本実施形態によれば、異なる電波送受信感度の下で実現される複数の通信モード（例えばペアリングモード、データ同期モード、端末捜索モード／忘れ物防止モード）を実現可能であるため、ユーザの目的・用途に応じた各種の通信を行うことができる。
そして、アンテナ４の電波送受信感度をこれらの通信モードに適した感度に調整する手法として回転部材８２を回転させて遮蔽部により覆われるアンテナ４の被遮蔽範囲を調整するという機械的な構成をとっているため、受信回路等、通信関連モジュールにおいて電波送受信感度の切り替えを行う場合と比較して、アンテナ４の電波送受信感度の調整にかかる電力消費量を抑えることができる。
また、腕時計１００の場合、小型・軽量化が求められ、大型のバッテリを収容するスペースを確保することが難しいが、本実施形態における腕時計１００は、外装ケース１の開口部に装着される裏蓋本体８１と、アンテナ４を覆う位置に配置された回転部材８２とにより構成される感度調整装置１０を備えており、機械的な構成によりアンテナ４の電波送受信感度を調整することができる。このため、通信関連モジュールにおいて電波送受信感度の切り替えを行う場合と比較して電力消費量を抑えることができ、大型のバッテリ等を備える必要がないため、装置の小型・軽量化を図ることができる。
また、外装ケース１の開口部を閉塞する裏蓋部材８を構成する回転部材８２に遮蔽部と開放部８２６とを設けて、この回転部材８２を回転させることによりアンテナ４の電波送受信感度を調整することができるため、新たに電波送受信感度を調整するための部材を設けることなく通信モードに適した感度の調整を行うことが可能であり、装置構成の簡易化、小型・軽量化を実現することができる。
また、遮蔽部は、回転部材８２の裏面側に磁性体である磁性シート８２５を貼付することにより構成されているため、製造等が容易であり、生産コストを低く抑えることが可能である。
【００４４】
なお、以上本発明の実施形態について説明したが、本発明は、かかる実施形態に限定されず、その要旨を逸脱しない範囲で、種々変形が可能であることは言うまでもない。
【００４５】
例えば、上記実施形態では、磁性体である磁性シート８２５がほぼＣ字型に配置される場合を例としたが、磁性シート８２５の形状や配置はこれに限定されない。
例えば、図１０に示すように、感度調整装置２０を構成する回転部材９２の裏面側の一部分のみに、アンテナ４を被覆することのできる大きさの磁性シート９２５を貼付してもよい。この場合には、磁性シート９２５が貼付されている部分が遮蔽部となり、それ以外の部分が開放部９２６となる。
したがって、ペアリングを行う際（すなわち「ペアリングモード」のとき）には、図１１に示すように、磁性シート９２５が貼付されている部分がアンテナ４を被覆する位置まで回転部材９２を回転させる。これによりアンテナ４の電波送受信感度をペアリングに適した感度まで低下させることができる。そして、図１１に示す状態において端末装置間のペアリングが成立しなかったとき、又はペアリングが成立している端末装置同士でデータを同期させたり（すなわち「データ同期モード」のとき）、ペアリングが成立している端末の捜索等を行う場合（すなわち「端末捜索モード／忘れ物防止モード」のとき）には、図１２に示すように、開放部９２６（すなわち磁性シート９２５が貼付されていない部分）がアンテナ４の上に位置するように回転部材９２を回転させる。これにより離れた場所にある端末装置間でも電波の送受信が可能な程度までアンテナ４の電波送受信感度を高くすることができる。
【００４６】
また、本実施形態では、磁性体が回転部材８２に貼付された磁性シート８２５である場合について説明したが、磁性体はシート状のものでなくてもよい。
また、磁性体は回転部材８２のアンテナ４と対向する面に配置されていればよく、磁性体を配置する手法は貼付に限定されない。例えば、回転部材８２の一部に磁性体を埋め込むことにより遮蔽部を形成してもよいし、磁性材料や磁性粉を含有する材料を蒸着、印刷する等の手法により回転部材８２に磁性体を配置して遮蔽部を形成してもよい。
【００４７】
また、本実施形態では、回転部材８２において、磁性体である磁性シート８２５が貼付（配置）されている部分が遮蔽部となり、磁性シート８２５が貼付（配置）されていない部分が開放部８２６となる場合について説明したが、遮蔽部及び開放部の構成はこれに限定されない。
例えば、回転部材自体を電波の透過を妨げる電波遮蔽材料で形成し、この回転部材の一部を他の部分よりも厚く形成された肉厚部として、他の部分よりも電波が透過しにくいように構成してもよい。電波遮蔽材料とは、例えば電波を吸収する電波吸収体等、電波の透過を妨げることのできる材料であり、具体的には、例えば、磁性材料や磁性粉を含有する材料を所定の形状に成型したり、所定の形状に成型された基材に磁性シートを貼付することにより形成する。この場合には、肉厚部が遮蔽部となり、それ以外の部分が開放部となる。なお、肉厚部の位置を示すために、回転部材の裏側の面（すなわち裏蓋部材を外装ケースに取り付けた際に外側となる面）であって、肉厚部に対応する位置に、当該部分が遮蔽部であることを示す感度指標が付されることが好ましい。
このように肉厚部が遮蔽部となり、それ以外の部分が開放部となる場合にも、機械的な構成によりアンテナ４の電波送受信感度を調整することができ、感度調整のために大型のバッテリ等を備える必要がないため、装置の小型・軽量化を図ることができる。
【００４８】
また、本実施形態では、遮蔽部に磁性体を配置して、磁性材料の磁気損失により電波を吸収することによって電波の透過を妨げる場合について説明したが、遮蔽部は電波の透過を妨げることができるものであればよく、その構成は磁気損失により電波を吸収するものに限定されない。
【００４９】
また、回転部材は、アンテナ４を覆うことが可能な位置に配置され、回転させることによって遮蔽部及び開放部の位置を変更し、遮蔽部により遮蔽されるアンテナ４の被遮蔽範囲を調整することができるものであればよく、その形状や大きさ等はここに例示したものに限定されない。例えば、本実施形態で例示したものよりも径の小さな回転部材を設ける構成としてもよい。また、回転部材は、裏蓋部材８のほぼ中央部に配置されているものに限定されず、アンテナ４に対応する位置に偏って配置されていてもよい。
【００５０】
また、本実施形態では、裏蓋部材８が、裏蓋本体８１、回転部材８２、係止用リング部材８３を備え、回転部材８２が、係止用リング部材８３によって裏蓋本体８１に係止されている場合を例として説明したが、回転部材８２を裏蓋本体８１に係止する構成はこれに限定されない。
【００５１】
また、本実施形態では、回転部材８２に凹部８２８を設けて、この凹部８２８に爪部や硬貨等を差し込んで回転部材８２を回転させる場合を例として説明したが、回転部材８２を回転させる構成はこれに限定されない。例えば、回転部材８２に凸部を設け、ユーザが凸部に指を掛けて回転部材８２を回転させる構成としてもよい。
【００５２】
また、本実施形態では、「ペアリングモード」で通信を行う際にはアンテナ４の上に遮蔽部を位置させ、「データ同期モード」又は「端末捜索モード／忘れ物防止モード」で通信を行う際にはアンテナ４の上に開放部を位置させるというように、アンテナ４の電波送受信感度について２段階の調整を行う場合を例として説明したが、アンテナ４の電波送受信感度の調整は２段階に限定されない。
例えば、遮蔽部とアンテナ４との位置関係を段階的に調整することにより、アンテナ４全体が遮蔽される状態、アンテナ４が一部遮蔽される状態、アンテナ４全体が遮蔽されない状態のように、複数段階の調整ができるようにしてもよい。この場合には、ユーザは、「ペアリングモード」で通信を行う際に、アンテナ４全体が遮蔽される状態ではペアリングが成立しなかった場合に、ペアリングが成立するまでアンテナ４の電波送受信感度を段階的に上げていくことができる。
【００５３】
また、本実施形態においては、腕時計１００が指針を備えるアナログ式の腕時計である場合について説明したが、腕時計は、アナログ式に限定されない。例えば、液晶パネル等で構成された液晶表示部を備えるデジタル式の腕時計でもよいし、指針及び液晶表示部の双方を備える腕時計であってもよい。
【００５４】
また、本実施形態においては、腕時計１００の外装ケース１がほぼ円形であり、裏蓋本体８１が環状（リング状）である場合を例として説明したが、腕時計１００の外装ケース１の形状は特に限定されず、例えば四角形、楕円形等でもよい。この場合にも、回転部材は回転可能な形状（例えば円盤状）とするが、裏蓋本体及び裏蓋部材全体の形状は外装ケース１の形状に応じた形状（例えば四角形、楕円形等）とする。
【００５５】
また、上記実施形態では、感度調整装置１０が腕時計に適用される場合を例として示したが、感度調整装置１０を適用可能な機器は腕時計に限られず、蓋部材によって開口部を閉塞される外装ケースを有する機器であれば本発明を適用可能である。例えば、携帯電話やＰＤＡ等の各種携帯端末装置、携帯型の音楽再生装置、小型ラジオ等に本発明を適用してもよい。
【００５６】
その他、本発明が本実施形態に限定されず、適宜変更可能であることはいうまでもない。
【００５７】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
蓋部材により開口部を閉塞されてなる外装ケース内に収納され外部の機器との間で無線信号を送受信可能なアンテナの電波送受信感度を調整する感度調整装置であって、
前記蓋部材は、
前記外装ケースの開口部に取り付けられた蓋本体と、
前記アンテナを覆う位置に配置されるとともに前記蓋本体に対して回転可能に取り付けられた回転部材と、
を備え、
この回転部材は、回転の周方向に沿って電波の透過を妨げる遮蔽部と電波を透過させる開放部とを備え、前記回転部材を回転させることにより前記遮蔽部及び前記開放部の位置を変更し、前記遮蔽部により遮蔽される前記アンテナの被遮蔽範囲を調整することにより、前記アンテナの電波送受信感度を調整可能に構成されていることを特徴とする感度調整装置。
＜請求項２＞
前記遮蔽部は、前記回転部材の前記アンテナと対向する面に磁性体を設けることにより構成されていることを特徴とする請求項１に記載の感度調整装置。
＜請求項３＞
前記回転部材は、その回転の周方向の一部に他の部分よりも厚く形成された肉厚部を有し、
この肉厚部により前記遮蔽部が構成されていることを特徴とする請求項１に記載の感度調整装置。
＜請求項４＞
請求項１から請求項３のいずれか一項に記載の感度調整装置と、
前記感度調整装置により電波送受信感度を調整されるアンテナと、
前記アンテナを保持するモジュールと、
前記アンテナ及び前記モジュールを収納する外装ケースと、
を備えていることを特徴とする腕時計。
【符号の説明】
【００５８】
１      外装ケース
２      竜頭
３      モジュール
４      アンテナ
５      文字板
８      裏蓋部材
１０    感度調整装置
８１    裏蓋本体
８２    回転部材
８３    係止用リング部材
１００  腕時計
８１３  アンテナ指標
８２５  磁性シート
８２６  開放部
８２７  感度指標
【図１】
0005776444.tif 000002
【図２】
0005776444.tif 000003
【図３】
0005776444.tif 000004
【図４】
0005776444.tif 000005
【図５】
0005776444.tif 000006
【図６】
0005776444.tif 000007
【図７】
0005776444.tif 000008
【図８】
0005776444.tif 000009
【図９】
0005776444.tif 000010
【図１０】
0005776444.tif 000011
【図１１】
0005776444.tif 000012
【図１２】
0005776444.tif 000013